(57)【要約】【課題】  複数の通信プロファイルで外部装置と通信可能な画像処理装置において、通信プロファイルと、撮影パラメータ及び現像パラメータとを、互いに適した組み合わせで簡単に設定できるようにすること。【解決手段】  カメラ設定に従って画像データを生成する画像生成手段（１０１、１０２）と、通信プロファイルに従って、前記画像生成手段により生成された画像データを外部へ通信する通信部（１０６）と、カメラ設定及び通信プロファイルを設定する設定手段（１０３〜１０５）と、前記設定手段により設定されたカメラ設定と通信プロファイルとを互いに関連付けて記憶する記憶手段（１０８、１０９、１１３）と、前記記憶手段に記憶された互いに関連付けられたカメラ設定と通信プロファイルから、前記画像生成手段及び前記通信手段で用いるカメラ設定と通信プロファイルを選択する選択手段と（１０３〜１０５）を有する。【選択図】  図１
2006191158.tif 000002
【特許請求の範囲】
【請求項１】
カメラ設定に従って画像データを生成する画像生成手段と、
通信プロファイルに従って、前記画像生成手段により生成された画像データを外部へ通信する通信手段と、
カメラ設定及び通信プロファイルを設定する設定手段と、
前記設定手段により設定されたカメラ設定と通信プロファイルとを互いに関連付けて記憶する記憶手段と、
前記記憶手段に記憶された互いに関連付けられたカメラ設定と通信プロファイルから、前記画像生成手段及び前記通信手段で用いるカメラ設定と通信プロファイルを選択する選択手段と
を有することを特徴とする画像処理装置。
【請求項２】
前記通信プロファイルに適したカメラ設定を選択する選択手段を更に有し、
前記記憶手段は、前記選択されたカメラ設定を、前記通信プロファイルに関連付けて記憶することを特徴とする請求項１に記載の画像処理装置。
【請求項３】
前記カメラ設定に適した通信プロファイルを選択する選択手段を更に有し、
前記記憶手段は、前記選択された通信プロファイルを、前記カメラ設定に関連付けて記憶することを特徴とする請求項１に記載の画像処理装置。
【請求項４】
前記選択手段は、前記通信プロファイル及びカメラ設定の少なくともいずれか一方を、前記記憶手段に記憶された通信プロファイル及びカメラ設定から選択可能であることを特徴とする請求項２または３に記載の画像処理装置。
【請求項５】
カメラ設定と通信プロファイルとを互いに関連付けて記憶するか否かを判断する判断手段を更に有し、
前記判断手段により関連付けずに記憶すると判断された場合に、前記記憶手段は、カメラ設定と通信プロファイルとを互いに関連付けずに記憶することを特徴とする請求項１乃至４のいずれかに記載の画像処理装置。
【請求項６】
カメラ設定に従って画像データを生成する画像生成手段と、
通信プロファイルに従って、前記画像生成手段により生成された画像データを外部へ通信する通信手段と、
カメラ設定及び通信プロファイルを記憶する記憶手段と、
使用する通信プロファイルを設定する第１の設定手段と、
前記第１の設定手段により設定された通信プロファイルに関連付けられたカメラ設定が、前記記憶手段に記憶されているかどうかを判断する判断手段と、
前記判断手段により記憶されていると判断された場合に、前記通信プロファイルに関連付けられたカメラ設定を前記記憶手段から読み出す読み出し手段と
を有することを特徴とする画像処理装置。
【請求項７】
使用するカメラ設定を設定する第２の設定手段を更に有し、
前記判断手段は、前記第２の設定手段により設定されたカメラ設定に関連付けられた通信プロファイルが、前記記憶手段に記憶されているかどうかを判断し、前記判断手段により記憶されていると判断された場合に、前記読み出し手段は、前記カメラ設定に関連付けられた通信プロファイルを前記記憶手段から読み出すことを特徴とする請求項６に記載の画像処理装置。
【請求項８】
前記第１の設定手段により設定された通信プロファイルに関連付けられたカメラ設定を用いるかどうかを選択する選択手段を更に有し、
前記選択手段により通信プロファイルに関連付けられたカメラ設定を用いないと選択された場合に、前記第２の設定手段によりカメラ設定を設定することを特徴とする請求項７に記載の画像処理装置。
【請求項９】
前記第２の設定手段により設定されたカメラ設定に関連付けられた通信プロファイルを用いるかどうかを選択する選択手段を更に有し、
前記選択手段によりカメラ設定に関連付けられた通信プロファイルを用いないと選択された場合に、前記第１の設定手段により通信プロファイルを設定することを特徴とする請求項７に記載の画像処理装置。
【請求項１０】
前記第１の設定手段は、前記記憶手段に記憶された通信プロファイルの中から選択して設定可能であることを特徴とする請求項６乃至９のいずれかに記載の画像処理装置。
【請求項１１】
前記第２の設定手段は、前記記憶手段に記憶されたカメラ設定の中から選択して設定可能であることを特徴とする請求項７乃至９のいずれかに記載の画像処理装置。
【請求項１２】
前記カメラ設定は、ホワイトバランスに関する設定、色補間に関する設定、色補正に関する設定、ガンマ変換に関する設定、エッジ強調に関する設定、圧縮方式に関する設定、圧縮率に関する設定、画質モードに関する設定、露出モードに関する設定、フォーカスモードに関する設定、ドライブモードに関する設定の少なくとも一つを含むことを特徴とする請求項１乃至１１のいずれかに記載の画像処理装置。
【請求項１３】
前記通信プロファイルは、ＴＣＰ／ＩＰに関する設定、ＦＴＰに関する設定、無線通信に関する設定の少なくとも一つを含むことを特徴とする請求項１乃至１２のいずれかに記載の画像処理装置。
【請求項１４】
前記カメラ設定と通信プロファイルとの関連付けは、保存されるファイル名を用いることを特徴とする請求項１乃至１３のいずれかに記載の画像処理装置。
【請求項１５】
前記カメラ設定と通信プロファイルとの関連付けは、保存されるファイルのヘッダー情報を用いることを特徴とする請求項１乃至１３のいずれかに記載の画像処理装置。
【請求項１６】
前記カメラ設定と通信プロファイルとの関連付けは、関連付け管理ファイルを生成して行うことを特徴とする請求項１乃至１３のいずれかに記載の画像処理装置。
【請求項１７】
カメラ設定に従って画像データを生成する画像生成手段と、通信プロファイルに従って前記画像生成手段により生成された画像データを外部へ通信する通信手段とを有する画像処理装置の制御方法であって、
カメラ設定を設定する第１の設定工程と、
通信プロファイルを設定する第２の設定工程と、
前記第１及び第２の設定工程で設定されたカメラ設定と通信プロファイルとを互いに関連付ける関連付け工程と、
前記関連付けられたカメラ設定と通信プロファイルとを記憶する記憶工程と、
前記記憶工程で記憶された互いに関連付けられたカメラ設定と通信プロファイルから、前記画像生成手段及び前記通信手段で用いるカメラ設定と通信プロファイルを選択する選択工程と
を有することを特徴とする制御方法。
【請求項１８】
カメラ設定に従って画像データを生成する画像生成手段と、通信プロファイルに従って、前記画像生成手段により生成された画像データを外部へ通信する通信手段とを有する画像処理装置の制御方法であって、
使用する通信プロファイルを設定する設定工程と、
前記設定工程で設定された通信プロファイルに関連付けられたカメラ設定が、記憶手段に記憶されているかどうかを判断する判断工程と、
前記判断工程で記憶されていると判断された場合に、前記通信プロファイルに関連付けられたカメラ設定を前記記憶手段から読み出す読み出し工程と
を有することを特徴とする制御方法。
【請求項１９】
請求項１７または１８に記載の制御方法を実現するためのプログラムコードを有することを特徴とする情報処理装置が実行可能なプログラム。
【請求項２０】
請求項１９に記載のプログラムを記憶したことを特徴とする情報処理装置が読み取り可能な記憶媒体。
【発明の詳細な説明】
【技術分野】
【０００１】
本発明は、通信機能を有する画像処理装置に関するものである。
【背景技術】
【０００２】
近年、急速に普及しつつあるデジタルカメラは、従来の銀塩カメラが被写体像をフィルム面上に結像させて画像を化学的にアナログ記録するのに対し、ＣＣＤセンサなどで撮像した画像をデジタルデータとしてメモリカードなどの記録媒体に電気的に記録するものである。
【０００３】
デジタルデータは、コンピュータによって容易に加工することでき、かつネットワークなどを介して容易に伝送することができるため、撮影された画像はほとんど時間差なく任意の場所で受け取ることが可能である。
【０００４】
また、コンピュータなどの機器を介することなく、撮影したデジタルデータを直接ネットワークへ伝送可能な通信機能を有するデジタルカメラへの期待も高まっている。
【０００５】
通信機能を有するデジタルカメラでは、ネットワークへ接続するための設定（以下、通信プロファイル）を行う必要がある。通信プロファイルにはTCP/IP設定やFTPクライアント設定など多くの文字を入力する必要があり、キーボードなどの入力手段を持たないデジタルカメラでは通信プロファイルの入力は非常に困難なものである。
【０００６】
そこで、通信機能を有するデジタルカメラでは、通信プロファイルの設定を行う方法として、あらかじめコンピュータなどで通信プロファイルを作成し、メモリカードを介してデジタルカメラで読み込む方法などが行われている（例えば、特許文献１参照）。
【０００７】
【特許文献１】特開２００４−２８９７０５号公報
【発明の開示】
【発明が解決しようとする課題】
【０００８】
上記のような通信機能付きデジタルカメラを用いて画像データを伝送する場合、通信路の伝送スピードや通信相手先により画質モードや画像サイズなどの撮影パラメータが決まっている場合がほとんどである。
【０００９】
しかしながら、複数の通信プロファイルを切り替えながら撮影を行う場合、通信プロファイルの切り替えと撮影パラメータの切り替えが同期していないため、いちいち撮影者が撮影パラメータを設定しなければならない。また、撮影パラメータの設定を忘れると、遅い通信路上に巨大な画像データを伝送してしまったり、反対に、通信路は十分高速で高解像度な画像を伝送しなければならないときに、低解像度の画像を伝送してしまうなどの問題がある。
【００１０】
本発明は上記問題点を鑑みてなされたものであり、複数の通信プロファイルで外部装置と通信可能な画像処理装置において、通信プロファイルと、撮影パラメータ及び現像パラメータとを、互いに適した組み合わせで簡単に設定できるようにすることを目的とする。
【課題を解決するための手段】
【００１１】
上記目的を達成するために、本発明の画像処理装置は、カメラ設定に従って画像データを生成する画像生成手段と、通信プロファイルに従って、前記画像生成手段により生成された画像データを外部へ通信する通信手段と、カメラ設定及び通信プロファイルを設定する設定手段と、前記設定手段により設定されたカメラ設定と通信プロファイルとを互いに関連付けて記憶する記憶手段と、前記記憶手段に記憶された互いに関連付けられたカメラ設定と通信プロファイルから、前記画像生成手段及び前記通信手段で用いるカメラ設定と通信プロファイルを選択する選択手段とを有する。
【００１２】
また、カメラ設定に従って画像データを生成する画像生成手段と、通信プロファイルに従って前記画像生成手段により生成された画像データを外部へ通信する通信手段とを有する画像処理装置の本発明の制御方法は、カメラ設定を設定する第１の設定工程と、通信プロファイルを設定する第２の設定工程と、前記第１及び第２の設定工程で設定されたカメラ設定と通信プロファイルとを互いに関連付ける関連付け工程と、前記関連付けられたカメラ設定と通信プロファイルとを記憶する記憶工程と、前記記憶工程で記憶された互いに関連付けられたカメラ設定と通信プロファイルから、前記画像生成手段及び前記通信手段で用いるカメラ設定と通信プロファイルを選択する選択工程とを有する。
【００１３】
更に、別の構成によれば、本発明の画像処理装置は、カメラ設定に従って画像データを生成する画像生成手段と、通信プロファイルに従って、前記画像生成手段により生成された画像データを外部へ通信する通信手段と、カメラ設定及び通信プロファイルを記憶する記憶手段と、使用する通信プロファイルを設定する第１の設定手段と、前記第１の設定手段により設定された通信プロファイルに関連付けられたカメラ設定が、前記記憶手段に記憶されているかどうかを判断する判断手段と、前記判断手段により記憶されていると判断された場合に、前記通信プロファイルに関連付けられたカメラ設定を前記記憶手段から読み出す読み出し手段とを有する。
【００１４】
また、カメラ設定に従って画像データを生成する画像生成手段と、通信プロファイルに従って、前記画像生成手段により生成された画像データを外部へ通信する通信手段とを有する画像処理装置の本発明の制御方法であって、使用する通信プロファイルを設定する設定工程と、前記設定工程で設定された通信プロファイルに関連付けられたカメラ設定が、記憶手段に記憶されているかどうかを判断する判断工程と、前記判断工程で記憶されていると判断された場合に、前記通信プロファイルに関連付けられたカメラ設定を前記記憶手段から読み出す読み出し工程とを有する。
【発明の効果】
【００１５】
本発明によれば、複数の通信プロファイルで外部装置と通信可能な画像処理装置において、通信プロファイルと、撮影パラメータ及び現像パラメータとを、互いに適した組み合わせで簡単に設定することができる。
【発明を実施するための最良の形態】
【００１６】
以下、添付図面を参照して本発明を実施するための最良の形態を詳細に説明する。
【００１７】
図１は、本実施の形態における画像処理装置の主要な機能構成を説明するブロック図である。
【００１８】
制御部１０３は、プログラム記憶部１０５に予め格納されているプログラムに従って画像処理装置の制御を行う。
【００１９】
撮像部１０１は撮像センサ（例えばCCDエリアセンサなど）、Ａ／Ｄ変換器などからなる。撮影パラメータに従った撮像動作によって撮像センサ上に被写体像が形成され、撮像センサにより電気信号に変換された画像信号はＡ／Ｄ変換器でＡ／Ｄ変換され、現像処理部１０２で現像パラメータに従った現像処理と圧縮処理を施された後、データバス１１０を介して、一旦メモリ部１０７に格納される。メモリ部１０７に格納された画像データは、必要に応じて表示部１０４に表示される。
【００２０】
撮影パラメータとは、カメラの撮影制御に関する設定のことで、露出モード（マニュアル・オード・絞り優先・シャッター速度優先など）やフォーカスモード（オートフォーカス・マニュアルフォーカスなど）、あるいはドライブモード（単写・連写）などは全て撮影パラメータに相当する。
【００２１】
現像パラメータとは、デジタル画像の画質に関するパラメータのことで、デジタル画像のホワイトバランス、色補間、色補正、γ変換、エッジ強調、記録方式または圧縮率に関するパラメータは全て現像パラメータに相当する。また、今後、１つ以上の現像パラメータを用いて、デジタル画像の画質を調整（変更）する処理のことを現像処理と呼ぶ。
【００２２】
なお、前述した撮影パラメータと現像パラメータをまとめたパラメータ群を、以下、「カメラ設定」と呼ぶこととする。
【００２３】
その後、メモリ部１０７に格納された画像データに対し、撮影情報や現像パラメータなどからなるヘッダー情報が付加され、画像ファイルとしてメモリカードインタフェース（Ｉ／Ｆ）１０８を介して、着脱可能なメモリカード１１３に書き込まれる。また、画像ファイルはシリアルＩ／Ｆ１０８を介して、シリアルバス１１１へも出力でき、パーソナルコンピュータへ容易に画像データを転送することができる。さらに、画像データは通信部１０６を介して、ネットワーク回線１１２へも出力でき、ネットワークを介した画像ファイルの配布も容易に行うことができる。
【００２４】
また、メモリカード１１３に書き込まれた画像ファイルを表示部１０４に再生するときは、メモリカード１１３からメモリカードＩ／Ｆ１０９を介して画像ファイルを読み出し、メモリ１０７へ格納した後、表示部１０４へ表示する。
【００２５】
さらに、メモリカード１１３には、撮像部１０１や現像処理部１０２に対して設定されているカメラ設定や、通信部１０６に対して設定されている通信プロファイルを互いに関連付けて保存することができる。また、メモリカード１１３に保存されているカメラ設定や通信プロファイルを読み込むときには、カメラ設定と通信プロファイル間の関連付けを判定して、撮像部１０１、現像処理部１０２、通信部１０６に対し設定することもできる。
【００２６】
ここでの関連付けとは、カメラ設定と通信プロファイルの間における従属関係を表す情報を付加することを意味する。関連付けの方法としては、カメラ設定と通信プロファイルを拡張子だけが異なる同じファイル名で保存してもよいし、カメラ設定と通信プロファイルのそれぞれのファイルヘッダーに関連付けられたファイルのファイル名を付加してもよいし、あるいは、関連付け情報を管理するファイルを別途生成して、カメラ設定と通信プロファイルの関連付けを行う方法も考えられる。
【００２７】
なお、本実施の形態における画像処理装置では、制御部１０３によりカメラ設定と通信プロファイルのそれぞれのファイルヘッダーに関連付けられたファイルのファイル名が付加するように制御される。
【００２８】
図２はメモリカード１１３に保存された通信プロファイルのファイル構造の一例を示した図である。通信プロファイルファイルは、ヘッダー部分と通信プロファイル本体とから構成される。ヘッダー部分にはファイルの作成日時やファイルを作成した画像処理装置の機種名などのファイルに関する情報が格納されている。また、ヘッダー部分には通信プロファイルファイルと関連付けられたカメラ設定ファイルのファイル名を複数個、格納することができる。
【００２９】
図３はメモリカード１１３に保存されたカメラ設定のファイル構造の一例を示した図である。カメラ設定ファイルは、ヘッダー部分とカメラ設定データ本体とから構成される。ヘッダー部分にはファイルの作成日時やファイルを作成した画像処理装置の機種名などのファイルに関する情報が格納されている。また、ヘッダー部分にはカメラ設定ファイルと関連付けられた通信プロファイルファイルのファイル名を複数個、格納することができる。
【００３０】
カメラ設定と通信プロファイルの関連付けの判定は、図２および図３で説明したヘッダー情報を元に行われる。
【００３１】
図４は本実施の形態の画像処理装置におけるカメラ設定の一部である現像パラメータの設定画面である。現像パラメータに関する各種設定は、表示部１０４に表示される画面を見ながら、図示しない設定釦を用いて入力・変更が可能である。
【００３２】
各パラメータで四角枠で囲まれた項目がそのパラメータで現在選択されている設定を表している。この設定例では、「ホワイトバランス」は「オート」が選択されており、「色あい」は「赤く」で、「色の濃さ」は「濃く」、「コントラスト」は「弱く」、「シャープネス」は「強く」、という設定になっている。また、「記録方式」は「ＪＰＥＧ」が選択されており、「記録モード」は「Ｍ２」、「圧縮率」は「標準」、という設定になっている。
【００３３】
図５は本実施形態の画像処理装置における通信プロファイルの設定画面である。通信プロファイルに関する各種設定は、表示部１０４に表示される画面を見ながら、図示しない設定釦を用いて入力・変更が可能である。
【００３４】
この設定例では、「ＴＣＰ／ＩＰ設定」として「ＩＰアドレス」、「サブネットマスク」、「ゲートウェイ」が設定される。また、「ＦＴＰクライアント設定」としては、「送信先サーバー名」、「ポート番号」、「ログイン名」、「パスワード」が設定される。これらの設定に加え、通信手段として無線方式を使用する場合には以下の設定が必要となる。
【００３５】
図６は本実施の形態の画像処理装置における無線通信を行う場合の通信プロファイルの設定画面である。
【００３６】
各パラメータで四角枠で囲まれた項目がそのパラメータで現在選択されている設定を表している。この設定例では、「無線形態」は「アドホック」が選択されており、「無線方式」は「１１ｂ」で、「チャンネル」は「ＡＵＴＯ」、「暗号化」は「有効」、「ネットワーク認証」は「有効」、という設定になっている。また、このほかに「ネットワーク名」や「ネットワークキー」、「パスワード」が設定されている。
【００３７】
図７は本実施の形態の画像処理装置における通信プロファイル保存に関する設定画面である。「カメラ設定の同時保存」の項目は通信プロファイルを保存する場合にカメラ設定も同時に保存するかどうかを設定する項目である。「ＯＮ」が選択されたときはカメラ設定も同時に保存され、「ＯＦＦ」が選択されたときはカメラ設定は保存されない。
【００３８】
「カメラ設定の関連付け」の項目は「カメラ設定の同時保存」で「ＯＮ」が選択されている場合に有効になり、「１．現在の設定（自動）」が選択された場合は、通信プロファイルを保存するときに、現在のカメラ設定と現在の通信プロファイルとが自動的に関連付けられてそれぞれメモリカードへ保存される。「２．現在の設定（手動）」が選択された場合は、通信プロファイルを保存するときに、現在のカメラ設定と現在の通信プロファイルを関連付けてよいかどうかをユーザーが選択できるダイアログが表示され、関連付けを行うを選択した場合は、現在のカメラ設定と現在の通信プロファイルとが関連付けられてそれぞれメモリカード１１３へ保存される。関連付けを行わないが選択された場合は、現在のカメラ設定と現在の通信プロファイルとは関連付けられることなくそれぞれメモリカードへ保存される。「３．カード内の設定」が選択された場合は、通信プロファイルを保存するときに、メモリカード１１３内にすでに保存されているカメラ設定と現在の通信プロファイルが関連付けられて、通信プロファイルがメモリカード１１３に保存される。複数のカメラ設定がメモリカード１１３内にあるときは、ユーザーは関連付けるカメラ設定を選択することができる。
【００３９】
図８は本実施の形態における画像処理装置において、通信プロファイルをメモリカード１１３へ保存する場合の処理を示すフローチャートである。
【００４０】
図８のフローチャートにおいて、ステップＳ１０１では図示しない操作ボタンにより通信プロファイルの保存動作が開始される。
【００４１】
ステップＳ１０２では、通信部１０６に設定されている様々な情報が通信プロファイルとして一旦メモリ部１０７に格納される。このとき、通信プロファイルにはヘッダー情報が付加されるとともに、メモリカード１１３に書き込まれる際のファイル名も決定される。図２を参照して上述したように、ヘッダー情報には通信プロファイルファイルの作成日時を格納する領域や、関連付けられるカメラ設定ファイルのファイル名を格納する領域などが含まれる。
【００４２】
ステップＳ１０３では、図７の画面で設定される「カメラ設定の同時保存」が有効かどうかが判定される。「カメラ設定の同時保存」が無効な場合は、ステップＳ１１２に進んで、メモリ部１０７へ格納されている通信プロファイルをメモリカードＩ／Ｆ１０９を介して、メモリカード１１３へ書き込んで動作を終了する。「カメラ設定の同時保存」が有効な場合はステップＳ１０４へ進み、「カメラ設定の関連付け」の判定を行う。
【００４３】
ステップＳ１０４では、図７の画面で設定される「カメラ設定の関連付け」の判定を行う。「カメラ設定の関連付け」で「１．現在の設定（自動）」が選択されている場合は、撮像部１０１と現像処理部１０２に現在設定されているカメラ設定を保存するためにステップＳ１０６へ進む。「カメラ設定の関連付け」で「２。現在の設定（確認）」が選択されている場合は、メモリ部１０７へ格納されている通信プロファイルと、撮像部１０１と現像処理部１０２に現在設定されているカメラ設定とを関連付けて保存するかどうか確認するためにステップＳ１０５へ進む。また、「カメラ設定の関連付け」で「３．カード内の設定」が選択されている場合は、ステップＳ１０８へ進みメモリカード１１３内にカメラ設定ファイルが存在するかどうかを確認する。
【００４４】
ステップＳ１０５では、メモリ部１０７へ格納されている通信プロファイルと現在のカメラ設定を関連付けて保存してもよいかどうかをユーザーが選択する。このとき、表示部１０４には保存するかしないかを選択可能な画面が表示されており、ユーザーが保存を選択した場合はステップＳ１０６へと進み現在のカメラ設定を保存する。また、ユーザーが保存しないを選択した場合は、ステップＳ１１２に進んでメモリ部１０７へ格納されている通信プロファイルをメモリカードＩ／Ｆ１０９を介してメモリカード１１３へ書き込んで動作を終了する。
【００４５】
ステップＳ１０６では、撮像部１０１と現像処理部１０２に現在設定されている様々な撮影パラメータ及び現像パラメータがカメラ設定として一旦メモリ部１０７に格納される。このとき、カメラ設定にはヘッダー情報が付加されるとともに、メモリカード１１３に書き込まれる際のファイル名も決定される。図３を参照して上述したように、ヘッダー情報にはカメラ設定ファイルの作成日時を格納する領域や、関連付けられる通信プロファイルファイルのファイル名を格納する領域などが含まれる。
【００４６】
ステップＳ１０７では、メモリ部１０７に格納されているカメラ設定と通信プロファイルの関連付けを行う。本実施の形態における関連付けでは、カメラ設定と通信プロファイルそれぞれのヘッダー部分に含まれる関連付けファイル名を格納する領域に、お互いのファイル名を書き込む。その後、ステップＳ１１１に進んで、メモリ部１０７へ格納されているカメラ設定と通信プロファイルをメモリカードＩ／Ｆ１０９を介してメモリカード１１３へ書き込んで動作を終了する。
【００４７】
一方、ステップＳ１０４で「３．カード内の設定」が選択され、ステップＳ１０８へ進んだ場合、メモリカード１１３内にカメラ設定ファイルが存在するかどうかを確認する。メモリカード１１３にカメラ設定ファイルが存在する場合は、関連付けるファイルを選択するためにステップＳ１０９へ進む。メモリカード１１３にカメラ設定ファイルが存在しない場合は、ステップＳ１１２に進んで、メモリ部１０７へ格納されている通信プロファイルをメモリカードＩ／Ｆ１０９を介してメモリカード１１３へ書き込んで動作を終了する。
【００４８】
ステップＳ１０９では、メモリ部１０７に格納されている通信プロファイルと関連付けるカメラ設定ファイルをユーザーが選択する。選択されたカメラ設定ファイルはメモリカードＩ／Ｆ１０９を介してメモリカード１１３からメモリ部１０７へ読み出される。
【００４９】
ステップＳ１１０では、メモリ部１０７に格納されているカメラ設定と通信プロファイルの関連付けを行う。本実施の形態では、ステップＳ１０７で説明したように、カメラ設定と通信プロファイルそれぞれのヘッダー部分に含まれる関連付けファイル名を格納する領域に、お互いのファイル名を書き込む。その後、ステップＳ１１１に進んで、メモリ部１０７へ格納されているカメラ設定と通信プロファイルをメモリカードＩ／Ｆ１０９を介してメモリカード１１３へ書き込んで動作を終了する。
【００５０】
以上説明した実施の形態では通信プロファイルを保存する場合を例にとって説明したが、カメラ設定を保存する場合も同様の制御を実施することで、カメラ設定と通信プロファイルの関連付けを行うことが可能である。
【００５１】
次に、本実施の形態における画像処理装置において、通信プロファイルをメモリカード１１３から読み込む場合の動作について説明する。
【００５２】
図９は本実施の形態の画像処理装置における通信プロファイル読み込みに関する設定画面である。「カメラ設定の読み込み」の項目は通信プロファイルを読み込む場合に関連付けられたカメラ設定がある場合、カメラ設定も同時に読み込むかどうかを設定する項目である。「ＯＮ」が選択されたときは関連付けられたカメラ設定も同時に読み込まれ、「ＯＦＦ」が選択されたときは関連付けられたカメラ設定が存在してもカメラ設定は読み込まれない。この設定例では「ＯＮ」が選択されている。
【００５３】
図１０は通信部１０６へ設定する通信プロファイルの選択画面である。この画面では画面の左側にメモリカード１１３に保存されている通信プロファイルファイルの一覧が表示される。また、画面の右側には選択された通信プロファイルファイルに関連付けられている、カメラ設定ファイルの一覧が表示される。現在の状態ではまだ通信プロファイルが選択されていないため、カメラ設定ファイルは表示されていない。なお、図９の「カメラ設定の読み込み」の項目で「ＯＦＦ」が選択されているときは、画面右側の「同時に設定されるカメラ設定」の項目はグレーアウトされる。
【００５４】
図１１は図示しない操作部材を用いて、通信プロファイルを選択した時の画面である。図１１に示す設定では、通信プロファイル Pfile001.prf が選択されている。通信プロファイル Pfile001.prf にはカメラ設定 Camset01.csd が関連付けられているため、画面右側の「同時に設定されるカメラ設定」には Camset01.csd が表示されている。通信プロファイル Pfile001.prfには一つのカメラ設定しか関連付けられていないため、Camset01.csdが選択された状態になっている。この状態で通信プロファイルの読み込み動作を行うと、メモリカード１１３からメモリカードＩ／Ｆ１０９を介して通信プロファイル Pfile001.prf が読み込まれ、通信部１０６へ設定される。また、同時に通信プロファイル Pfile001.prf に関連付けられているカメラ設定 Camset01.csd も読み込まれ、撮像部１０１と現像処理部１０２へそれぞれ撮影パラメータと現像パラメータが設定される。
【００５５】
図１２は図示しない操作部材を用いて、通信プロファイル Pfile003.prf を選択した時の画面である。通信プロファイル Pfile003.prf には複数のカメラ設定が関連付けられていて、図１２に示す例では Camset01.csd 、 Camset02.csd 、Camset05.csd 、Camset09.csd が関連付けられている。このように複数のカメラ設定が関連付けられている場合は、画面右側の「同時に設定されるカメラ設定」に表示されるカメラ設定ファイルを図示しない操作部材を用いて選択する。図１２ではカメラ設定 Camset02.csd が選択されており、この状態で通信プロファイルの読み込み動作を行うと、メモリカード１１３からメモリカードＩ／Ｆ１０９を介して通信プロファイル Pfile003.prf が読み込まれ、通信部１０６へ設定される。また、同時に通信プロファイル Pfile003.prf に関連付けられているカメラ設定ファイルのうち、 Camset02.csd も読み込まれ、撮像部１０１と現像処理部１０２へそれぞれ撮影パラメータと現像パラメータが設定される。
【００５６】
図１３は本実施の形態における画像処理装置において、通信プロファイルをメモリカード１１３から読み込み、通信部１０６へ設定する場合の処理を示すフローチャートである。
【００５７】
図１３のフローチャートにおいて、ステップＳ２０１では図示しない操作ボタンにより通信プロファイルの読み込み動作が開始される。
【００５８】
ステップＳ２０２では、メモリカードＩ／Ｆ１０９を介して、メモリカード１１３に保存されている通信プロファイルファイルを検索し、検索結果を表示部１０４へ表示する。ステップＳ２０３では、表示部１０４に表示されている通信プロファイルの中から通信部１０６へ設定したい通信プロファイルを図示しない操作部材を用いて選択する。
【００５９】
ステップＳ２０４では、図９の画面で設定される「カメラ設定の読み込み」が有効かどうかが判定される。「カメラ設定の読み込み」が無効な場合は、ステップＳ２１０へ進む。一方、「カメラ設定の読み込み」が有効な場合はステップＳ２０５へ進み、関連付けられたカメラ設定があるかどうか判定する。
【００６０】
ステップＳ２０５では、選択されている通信プロファイルのヘッダー部を解析して関連付けられたカメラ設定があるかどうかを判定する。ヘッダー部にカメラ設定ファイル名が格納されていない場合は、ステップＳ２１０へ進む。ヘッダー部にカメラ設定ファイル名が格納されている場合はステップＳ２０６へ進む。
【００６１】
ステップＳ２０６では、選択されている通信プロファイルのヘッダー部に格納されているカメラ設定ファイル名と同じ名前のファイルがメモリカード１１３に保存されているかどうか、メモリカードＩ／Ｆ１０９を介して、メモリカード１１３内を検索する。なお、検索結果は表示部１０４へ表示される。
【００６２】
ステップＳ２０７では、選択されている通信プロファイルのヘッダー部に格納されているカメラ設定ファイルがメモリカード１１３内に存在したかどうかを判定する。関連付けられたカメラ設定ファイルがメモリカード１１３内に存在するときはステップＳ２０８へ進み、同時に設定するカメラ設定を選択する。関連付けられたカメラ設定ファイルがメモリカード１１３内に無い場合は、ステップＳ２１０へ進む。
【００６３】
ステップＳ２０８では、表示部１０４に表示されているカメラ設定の中から通信部１０６へ設定したい通信プロファイルを図示しない操作部材を用いて選択する。関連付けられているカメラ設定が一つしかないときは図１１のように表示部１０４へ表示される。また、関連付けられているカメラ設定が複数存在するときは図１２のように表示部１０４へ表示される。
【００６４】
ステップＳ２０９では、選択されている通信プロファイルとカメラ設定を画像処理装置に設定する。選択されている通信プロファイルファイルはメモリカード１１３からメモリカードＩ／Ｆ１０９を介して一旦メモリ部１０７に格納される。同様に選択されているカメラ設定ファイルもメモリカード１１３からメモリカードＩ／Ｆ１０９を介して一旦メモリ部１０７に格納される。その後通信プロファイルは通信部１０６へ設定し、カメラ設定は撮像部１０１と現像処理部１０２へ設定して、動作を終了する。
【００６５】
また、ステップＳ２１０では、選択されている通信プロファイルを画像処理装置に設定する。選択されている通信プロファイルファイルはメモリカード１１３からメモリカードＩ／Ｆ１０９を介して一旦メモリ部１０７に格納される。その後通信プロファイルは通信部１０６へ設定して、動作を終了する。
【００６６】
以上説明した実施の形態では通信プロファイルを読み込む場合を例にとって説明したが、カメラ設定を読み込む場合も同様の制御を実施することで、カメラ設定に関連付けられた通信プロファイルを読み込むことが可能である。
【００６７】
以上説明したように、本実施の形態では、画像処理装置においてネットワークへ接続するための設定である通信プロファイルと、カメラの撮影制御に関するパラメータとデジタル画像の画質に関するパラメータであるカメラ設定を関連付けて保存することができ、また、関連付け情報を元に通信プロファイルとカメラ設定を同時に画像処理装置に対して設定できるように構成した。これにより、複数の通信プロファイルを切り替えながら撮影を行う場合、通信プロファイルの切り替えとカメラ設定の切り替えが同期して行えるため、切り換えを行う度に、撮影者が撮影・現像パラメータを設定し直す必要が無くなる。また、カメラ設定を切り替えたときも、カメラ設定と通信プロファイルの切り替えが同期して行えるため、遅い通信路には低解像度の画像を伝送し、高速な通信路には高解像度の画像データを伝送するといった切り替えを容易に行うことができる。
【００６８】
なお、上記実施の形態では、通信プロファイル及びカメラ設定を着脱可能なメモリカード１１３に書き込む場合について説明したが、通信プロファイル及びカメラ設定を保存する場所はメモリカード１１３に限るものではなく、書き込み／読み込み可能な不揮発性メモリであれば、どのようなものに保存しても良い。
【００６９】
＜他の実施形態＞
なお、本発明の目的は、前述した実施形態の機能を実現するソフトウェアのプログラムコードを記録した記憶媒体（または記録媒体）を、システムあるいは装置に供給し、そのシステムあるいは装置のコンピュータ（またはＣＰＵやＭＰＵ）が記憶媒体に格納されたプログラムコードを読み出し実行することによっても、達成されることは言うまでもない。この場合、記憶媒体から読み出されたプログラムコード自体が前述した実施形態の機能を実現することになり、そのプログラムコードを記憶した記憶媒体は本発明を構成することになる。また、コンピュータが読み出したプログラムコードを実行することにより、前述した実施形態の機能が実現されるだけでなく、そのプログラムコードの指示に基づき、コンピュータ上で稼働しているオペレーティングシステム（ＯＳ）などが実際の処理の一部または全部を行い、その処理によって前述した実施形態の機能が実現される場合も含まれることは言うまでもない。ここでプログラムコードを記憶する記憶媒体としては、例えば、フレキシブルディスク、ハードディスク、ＲＯＭ、ＲＡＭ、磁気テープ、不揮発性のメモリカード、ＣＤ−ＲＯＭ、ＣＤ−Ｒ、ＤＶＤ、光ディスク、光磁気ディスク、ＭＯなどが考えられる。また、ＬＡＮ（ローカル・エリア・ネットワーク）やＷＡＮ（ワイド・エリア・ネットワーク）などのコンピュータネットワークを、プログラムコードを供給するために用いることができる。
【００７０】
さらに、記憶媒体から読み出されたプログラムコードが、コンピュータに挿入された機能拡張カードやコンピュータに接続された機能拡張ユニットに備わるメモリに書込まれた後、そのプログラムコードの指示に基づき、その機能拡張カードや機能拡張ユニットに備わるＣＰＵなどが実際の処理の一部または全部を行い、その処理によって前述した実施形態の機能が実現される場合も含まれることは言うまでもない。
【００７１】
また、本発明の構成は、上述の実施の形態での具体的な記述に限定されるものではなく、画像処理装置の仕様や想定ユーザー層などによって、様々な実施例が考えられることはいうまでもないであろう。
【図面の簡単な説明】
【００７２】
【図１】本発明の実施の形態における画像処理装置の主要な機能構成を示すブロック図である。
【図２】本発明の実施の形態における画像処理装置の通信プロファイルファイルの構成の一例を示す図である。
【図３】本発明の実施の形態における画像処理装置のカメラ設定ファイルの構成の一例を示す図である。
【図４】本発明の実施の形態における画像処理装置の現像パラメータの設定画面の一例を示す図である。
【図５】本発明の実施の形態における画像処理装置の通信プロファイルの設定画面の一例を示す図である。
【図６】本発明の実施の形態における画像処理装置の通信プロファイルの設定画面の一例を示す図である。
【図７】本発明の実施の形態における画像処理装置の通信プロファイル保存モードの設定画面の一例を示す図である。
【図８】本発明の実施の形態における画像処理装置の通信プロファイル保存動作時の処理を示すフローチャートである。
【図９】本発明の実施の形態における画像処理装置の通信プロファイル読み込み設定時の表示画面の一例を示す図である。
【図１０】本発明の実施の形態における画像処理装置の通信プロファイル読み込み時の表示画面の一例を示す図である。
【図１１】本発明の実施の形態における画像処理装置の通信プロファイル読み込み時の表示画面の一例を示す図である。
【図１２】本発明の実施の形態における画像処理装置の通信プロファイル読み込み時の表示画面の一例を示す図である。
【図１３】本発明の実施の形態における画像処理装置の通信プロファイル読み込み動作時の処理を示すフローチャートである。
【符号の説明】
【００７３】
１０１  撮像部
１０２  現像処理部
１０３  制御部
１０４  表示部
１０５  プログラム記憶部
１０６  通信部
１０７  メモリ部
１０８  シリアルインターフェース
１０９  メモリカードインターフェース
１１０  データバス
１１１  シリアルバス
１１２  ネットワーク回線
１１３  メモリカード
【図１】
2006191158.tif 000003
【図２】
2006191158.tif 000004
【図３】
2006191158.tif 000005
【図４】
2006191158.tif 000006
【図５】
2006191158.tif 000007
【図６】
2006191158.tif 000008
【図７】
2006191158.tif 000009
【図８】
2006191158.tif 000010
【図９】
2006191158.tif 000011
【図１０】
2006191158.tif 000012
【図１１】
2006191158.tif 000013
【図１２】
2006191158.tif 000014
【図１３】
2006191158.tif 000015